【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
記憶部を備えるサーバの制御方法であって、
複数のグループのそれぞれに含まれる複数のユーザを前記記憶部に記憶し、
施設端末から送信された施設利用可能時間を前記記憶部に記憶し、
前記複数のグループのうちの所定のグループに含まれる複数のユーザのそれぞれが所有する各ユーザ端末に前記施設利用可能時間を送信し、
前記施設利用可能時間を受信したユーザ端末から送信された、前記施設利用可能時間において当該施設におけるイベントに参加する意思表示を受け付け、当該参加の意思表示を前記記憶部に記憶し、
前記記憶した参加の意思表示の数が、第１所定数を超えた場合に、前記所定のグループを利用グループとして前記記憶部に記憶する、
ことを含むことを特徴とする制御方法。
【請求項２】
前記利用グループの記憶において、
前記施設利用可能時間が複数の所定のグループに含まれる複数のユーザのそれぞれが所有する各ユーザ端末に送信される場合に、前記記憶された参加の意思表示の数を、グループごとに計数し、
前記計数した参加の意思表示の数が、最初に前記第１所定数を超えたグループを前記利用グループとして特定する、請求項１に記載の制御方法。
【請求項３】
前記複数のユーザのそれぞれに関連するエリア情報及び前記施設端末に係る施設が存在するエリア情報を前記記憶部に記憶し、
前記施設利用可能時間の送信において、
前記所定のグループに含まれる複数のユーザのそれぞれに関連する前記エリア情報と前記施設が存在するエリア情報とが特定の関係であるか否かを判定し、
前記施設が存在するエリア情報と特定の関係であると判定された前記エリア情報に関連するユーザが所有するユーザ端末に、前記施設の施設端末から送信された施設利用可能時間を送信する、請求項１または２に記載の制御方法。
【請求項４】
前記ユーザ端末を所有するユーザのスケジュールを管理するためのスケジュール管理画面を表示するための表示データを、前記ユーザ端末に送信し、
前記スケジュール管理画面の前記施設利用可能時間に対応する表示領域に、前記施設利用可能時間に係る施設の名称を表示するための表示データを、前記ユーザ端末に送信する、請求項３に記載の制御方法。
【請求項５】
前記スケジュール管理画面を表示するための表示データは、前記施設利用可能時間に対応する表示領域に、当該ユーザ端末を所有するユーザのスケジュールが登録されていない場合に限り、前記施設利用可能時間に係る施設の名称を表示するための表示データである、請求項４に記載の制御方法。
【請求項６】
前記複数のユーザのそれぞれが所有する各ユーザ端末によって登録された、各ユーザ端末を所有するユーザのスケジュールを、当該スケジュールの開始日時及び終了日時とともに前記記憶部に記憶し、
前記施設利用可能時間の送信において、前記所定のグループに含まれる複数のユーザのうち、前記施設利用可能時間にスケジュールが登録されていないユーザの数が、第２所定数を超える場合、前記所定のグループに含まれ且つ前記施設利用可能時間にスケジュールが登録されていない各ユーザのユーザ端末に、前記施設利用可能時間を送信する、請求項４または５に記載の制御方法。
【請求項７】
前記施設利用可能時間の送信において、前記所定のグループに含まれる複数のユーザのうち、前記施設利用可能時間より前にスケジュールが登録されているユーザの数が、前記第２所定値を超える場合、前記所定のグループに含まれ且つ前記施設利用可能時間にスケジュールが登録されておらず且つ前記施設利用可能時間より前にスケジュールが登録されている各ユーザのユーザ端末に、前記施設利用可能時間を送信する、請求項６に記載の制御方法。
【請求項８】
前記施設の名称を表示するための表示データは、前記ユーザ端末で表示されているときに前記施設の名称がユーザによって選択されたことに従って、前記施設利用可能時間において当該施設における前記イベントへの参加の意思表示を送信した他のユーザの名称を表示するための表示データである、請求項４〜７のいずれか１項に記載の制御方法。
【請求項９】
前記ユーザに関連するエリア情報は、前記スケジュール管理画面に表示された前記施設利用可能時間の直前のスケジュールに関するエリア情報である、請求項４〜８のいずれか１項に記載の制御方法。
【請求項１０】
前記利用グループに含まれるユーザが所有し且つ前記参加の意思表示を送信したユーザ端末に、参加案内情報を送信し、且つ、前記参加案内情報を送信したユーザ端末を所有するユーザを前記利用グループに関連付けて前記記憶部に記憶し、
前記施設利用可能時間の送信において、前記所定のグループが過去に記憶された利用グループである場合、当該所定のグループを優先して各ユーザ端末に前記施設利用可能時間を送信する、請求項１〜７のいずれか１項に記載の制御方法。
【請求項１１】
前記施設利用可能時間の送信において、前記施設利用可能時間の日付と同日の第３所定数を超える数の他の施設利用可能時間を過去に送信している場合、前記施設利用可能時間を送信しない、請求項１〜１０のいずれか１項に記載の制御方法。
【請求項１２】
前記施設利用可能時間の送信において、前記施設利用可能時間よりも所定時間前に前記前記施設利用可能時間を送信する、請求項１〜１１のいずれか１項に記載の制御方法。
【請求項１３】
前記施設利用可能時間の開始時刻の所定期間前までに前記記憶部に記憶された参加の意思表示の数が最低開催人数に達しない場合、前記記憶部に記憶された前記施設利用可能時間を削除する、請求項１〜１２のいずれか一項に記載の制御方法。
【請求項１４】
前記利用グループに含まれるユーザが所有し且つ前記参加の意思表示を送信したユーザ端末に、参加案内情報を送信し、且つ、前記記憶部に記憶された、前記参加案内情報に対応する参加の意思表示を削除し、前記記憶部に記憶された参加の意思表示の数が第４所定数を超える場合、前記サーバは、前記参加の意思表示の送信を禁止する参加禁止信号を前記ユーザ端末に送信する、または、前記ユーザ端末からの前記参加の意思表示を受け付けない、請求項１〜１３のいずれか１項に記載の制御方法。
【請求項１５】
前記施設利用可能時間の記憶において、前記施設利用可能時間とともに前記施設端末から送信された、前記施設利用可能時間におけるイベントに参加できる人数を示す空席情報を前記記憶部に記憶し、
前記第１所定数は、前記空席情報で示される数未満に設定され、
前記利用グループに含まれ且つ前記参加の意思表示を送信したユーザ端末を所有するユーザの数が、前記空席情報で示される数に到達した場合、以降の参加の意思表示を受け付けない、請求項１〜１４のいずれか１項に記載の制御方法。
【請求項１６】
前記ユーザ端末は、複数人数分の前記参加の意思表示を送信することが可能である、請求項１５に記載の制御方法。
【請求項１７】
前記施設利用可能時間の送信において、
各ユーザ端末を所有するユーザのスケジュールのうちの前記施設利用可能時間の日付と同日の最後のスケジュールの終了時刻が前記施設利用可能時間よりも前に登録されている場合、前記施設利用可能時間及び前記施設が存在するエリア情報と前記最後のスケジュールの終了時刻及び当該終了時刻においてユーザが存在するエリア情報とに基づいて、各ユーザ端末を所有するユーザが、前記施設利用可能時間までに前記施設が存在するエリア情報に到着可能であるか否かを判別し、
前記施設利用可能時間までに前記施設が存在するエリア情報に到着可能であると判別されたユーザが所有するユーザ端末に、前記施設の施設端末から送信された施設利用可能時間を送信する、請求項４〜１６のいずれか１項に記載の制御方法。
【請求項１８】
記憶部を備えるサーバの制御プログラムであって、前記サーバに、
複数のグループのそれぞれに含まれる複数のユーザを前記記憶部に記憶し、
施設端末から送信された施設利用可能時間を前記記憶部に記憶し、
前記複数のグループのうちの所定のグループに含まれる複数のユーザのそれぞれが所有する各ユーザ端末に前記施設利用可能時間を送信し、
前記施設利用可能時間を受信したユーザ端末から送信された、前記施設利用可能時間において当該施設におけるイベントに参加する意思表示を受け付け、当該参加の意思表示を前記記憶部に記憶し、
前記記憶した参加の意思表示の数が、第１所定数を超えた場合に、前記所定のグループを利用グループとして前記記憶部に記憶する、
ことを実行させる制御プログラム。
【請求項１９】
複数のグループのそれぞれに含まれる複数のユーザを記憶するとともに、施設端末から送信された施設利用可能時間を記憶する記憶部と、
前記複数のグループのうちの所定のグループに含まれる複数のユーザのそれぞれが所有する各ユーザ端末に前記施設利用可能時間を送信する通知部と、
前記施設利用可能時間を受信したユーザ端末から送信された、前記施設利用可能時間において当該施設におけるイベントに参加する意思表示を受け付け、当該参加の意思表示を前記記憶部に記憶し、前記記憶した参加の意思表示の数が、第１所定数を超えた場合に、前記所定のグループを利用グループとして前記記憶部に記憶する予約部と、
を備えることを特徴とするサーバ。